(57)【要約】【課題】一実施形態は、運転中に電話の発着信があった場合に、相手との会話を効率的に維持する。【解決手段】一実施形態に係る車載機は、携帯端末に他の端末から着信があったことを示す着信通知を、携帯端末から受信した際に車載機を搭載している車両が走行中であれば、他の端末の電話番号に基づいて決定されたアプリケーションを用いたボイスメールでの通信に切り替えることを促す音声を他の端末との通話に出力する出力部と、アプリケーションを用いたボイスメールで、他の端末と通信するように携帯端末を制御する通信制御部と、を備える。【選択図】図１１
2018056782.tif 000002
【特許請求の範囲】
【請求項１】
車載機であって、
携帯端末に他の端末から着信があったことを示す着信通知を、前記携帯端末から受信した際に前記車載機を搭載している車両が走行中であれば、前記他の端末の電話番号に基づいて決定されたアプリケーションを用いたボイスメールでの通信に切り替えることを促す音声を前記他の端末との通話に出力する出力部と、
前記アプリケーションを用いた前記ボイスメールで、前記他の端末と通信するように前記携帯端末を制御する通信制御部と、
を備える、車載機。
【請求項２】
更に、前記通信制御部は、前記携帯端末から別の端末に発信したことを示す発信通知を、前記携帯端末から受信した際に前記車両が走行中であれば、前記別の端末の電話番号に基づいて決定されたアプリケーションを用いた前記ボイスメールで、前記別の端末と通信するように前記携帯端末を制御する、
を含む、請求項１に記載の車載機。
【請求項３】
前記他の端末から前記アプリケーションで前記ボイスメールを受信した場合、前記ボイスメールを記憶部に保存する保存部と、
再生指示が入力された場合、前記記憶部に保存された前記ボイスメールを再生する再生部と、
を含む、請求項１又は２に記載の車載機。
【請求項４】
前記再生部は、前記アプリケーションで前記ボイスメールを受信した場合、前記車両の方向指示器が出ていないタイミングで、前記ボイスメールを受信したことを示す情報を出力することを特徴とする、請求項３に記載の車載機。
【請求項５】
前記アプリケーションを用いた前記ボイスメールは、パケット交換方式のデータ回線で伝送させることを特徴とする、請求項１〜４のいずれか1項に記載の車載機。
【請求項６】
車載機が実行する通話切替方法であって、
携帯端末に他の端末から着信があったことを示す着信通知を、前記携帯端末から受信した際に前記車載機を搭載している車両が走行中であれば、前記他の端末の電話番号に基づいて決定されたアプリケーションを用いたボイスメールでの通信に切り替えることを促す音声を前記他の端末との通話に出力し、
前記アプリケーションを用いた前記ボイスメールで、前記他の端末と通信するように前記携帯端末を制御する、
ことを含む、通話切替方法。
【請求項７】
車載機に、
携帯端末に他の端末から着信があったことを示す着信通知を、前記携帯端末から受信した際に前記車載機を搭載している車両が走行中であれば、前記他の端末の電話番号に基づいて決定されたアプリケーションを用いたボイスメールでの通信に切り替えることを促す音声を前記他の端末との通話に出力し、
前記アプリケーションを用いた前記ボイスメールで、前記他の端末と通信するように前記携帯端末を制御する、
処理を実行させるための通話切替プログラム。
【発明の詳細な説明】
【技術分野】
【０００１】
本発明は、車載機、通話切替方法、及び通話切替プログラムに関する
【背景技術】
【０００２】
携帯電話機、スマートフォン、タブレット端末などの携帯端末の運転中の使用は、交通事故などの原因となる危険行為となっている。そのため、例えば、日本の道路交通法では、運転中の携帯電話の使用について、規制が設けられている。そして、車両メーカは、運転手が法令を順守できるように、例えば、車載機に備えられたスピーカやマイクなどを用いてハンズフリーで通話する機能などを提供している。
【０００３】
また、一方で、最近の研究では、ハンズフリーでの通話であっても、運転中に通話をすると、認知や判断が鈍り、携帯端末を耳に当てて通話しているのと同程度のリスクを伴うという報告がなされている。これに関し、例えば、運転中の通話に起因する事故などの危険性を抑制するための技術が知られている。（例えば、特許文献１〜２）
【先行技術文献】
【特許文献】
【０００４】
【特許文献１】特開２０１０−１６６４３号公報
【特許文献２】特開２００４−２０８０３１号公報
【発明の概要】
【発明が解決しようとする課題】
【０００５】
運転中のハンズフリーでの通話に起因する事故などの危険性を低減するために、例えば、運転中に電話の着信があった場合、車載機で伝言メッセージを一時的に預かり、ハンズフリー機能を抑止することが考えられる。しかしながら、その場合、相手との会話を効率的に維持することが難しかった。
【０００６】
１つの側面では、本発明は、運転中に電話の発着信があった場合に、相手との会話を効率的に維持することを目的とする。
【課題を解決するための手段】
【０００７】
本発明の一つの態様の車載機は、携帯端末に他の端末から着信があったことを示す着信通知を、携帯端末から受信した際に車載機を搭載している車両が走行中であれば、他の端末の電話番号に基づいて決定されたアプリケーションを用いたボイスメールでの通信に切り替えることを促す音声を他の端末との通話に出力する出力部と、アプリケーションを用いたボイスメールで、他の端末と通信するように携帯端末を制御する通信制御部と、を備える。
【発明の効果】
【０００８】
運転中に電話の発着信があった場合に、相手との会話を効率的に維持することができる。
【図面の簡単な説明】
【０００９】
【図１】実施形態に係る通話切替システムを例示する図である。
【図２】実施形態に係る車載機のブロック構成を例示する図である。
【図３】実施形態に係るメッセージ情報を例示する図である。
【図４】実施形態に係る処理ブロック間制御メッセージ情報を例示する図である。
【図５】実施形態に係る携帯端末間制御メッセージ情報を例示する図である。
【図６】メッセージフォーマットを例示する図である。
【図７】実施形態に係る要求データ構成を例示する図である。
【図８】実施形態に係る応答データ構成を例示する図である。
【図９】実施形態に係る通知データ構成を例示する図である。
【図１０】実施形態に係る走行状態の通知処理を例示する図である。
【図１１】実施形態に係る電話着信時の処理を例示する図である。
【図１２】簡易通話を行うか否かの情報が入力された際に実行される処理を例示する図である。
【図１３】録音された伝言メッセージの再生処理を例示する図である。
【図１４】実施形態に係る電話発信時の処理を例示する図である。
【図１５】実施形態に係る音声メッセージ送信処理を例示する図である
【図１６】実施形態に係る伝言メッセージ受信処理を例示する図である。
【図１７】ユーザへの伝言メッセージの蓄積通知処理を例示する図である。
【図１８】メッセージ再生及び完了処理を例示する図である。
【図１９】実施形態に係る通話切替制御処理の動作フローを例示する図である。
【図２０】実施形態に係るセッション制御処理の動作フローを例示する図である。
【図２１】処理１の詳細を例示する図である。
【図２２】処理２に詳細を例示する図である。
【図２３】処理３の詳細を例示する図である。
【図２４】処理４の詳細を例示する図である。
【図２５】実施形態に係る簡易通話制御処理の動作フローを例示する図である。
【図２６】処理５の詳細を例示する図である。
【図２７】処理６の詳細を例示する図である。
【図２８】処理７の詳細を例示する図である。
【図２９】処理８の詳細を例示する図である。
【図３０】処理９の詳細を例示する図である。
【図３１】処理１０の詳細を例示する図である。
【図３２】処理１１の詳細を例示する図である。
【図３３】電話の着信時の実施例を説明する図である。
【図３４】電話の発信時の実施例を説明する図である。
【図３５】簡易通話でのメッセージの受信時の実施例を説明する図である。
【図３６】伝言メッセージの確認時処理を例示する図である。
【図３７】別の実施形態に係る通話切替システムのブロック構成を例示する図である。
【図３８】実施形態に係る車載機を実現するためのコンピュータのハードウェア構成を例示する図である。
【図３９】携帯端末を実現するためのコンピュータのハードウェア構成の一例を示す図である。
【発明を実施するための形態】
【００１０】
以下、図面を参照しながら、本発明のいくつかの実施形態について詳細に説明する。なお、複数の図面において対応する要素には同一の符号を付す。
【００１１】
図１は、実施形態に係る通話切替システム１０を例示する図である。通話切替システム１０は、例えば、車載機１０１、携帯端末１０２、相手の端末１０３、サーバ１０４、及びネットワーク１０５を含む。車載機１０１は、例えば、車両１００に搭載されていてよい。また、携帯端末１０２は、例えば、車両１００の内部に置かれていてよく、Bluetooth（登録商標）などの近距離無線通信を用いて、又は有線で車載機１０１と接続されていてよい。携帯端末１０２は、例えば、公衆回線網などのネットワーク１０５を介して、相手の端末１０３やサーバ１０４と通信してよい。サーバ１０４は、例えば、ユーザ間でのボイスメールをやり取りするサービスを提供するサーバであってよい。
【００１２】
図２は、実施形態に係る車載機１０１のブロック構成を例示する図である。車載機１０１は、例えば、制御部２０１、記憶部２３０、及び通信部２４０を含む。制御部２０１は、車載機１０１の各部を制御する。制御部２０１は、例えば、通話切替制御部２１１、セッション制御部２１２、録音制御部２１３、再生制御部２１４、及びスピーカ制御部２２１を含む。また、制御部２０１は、例えば、電話アプリケーション（ＡＰ）部２２２、ＨＦＰ／ＳＣＯ制御部２２３、無線制御部２２４、ＳＰＰ制御部２２５、マイク制御部２２６、走行モード管理部２３１、及び車両情報収集部２３２を含む。なお、ＨＦＰは、Hands Free Profileの略称である。また、ＳＣＯは、Synchronous Connection Orientedの略称である。ＳＰＰは、Serial Port Profileの略称である。また、記憶部２３０は、例えば、後述するメッセージ情報３００、処理ブロック間制御メッセージ情報４００、及び携帯端末間制御メッセージ情報５００などの情報を記憶していてよい。通信部２４０は、制御部２０１の指示に従って通信する。通信部２４０は、例えば、Bluetoothなどの近距離無線で通信する通信機器であってよい。例えば、通信部２４０は、無線制御部２２４の指示に従って、携帯端末１０２と接続してよい。
【００１３】
また、制御部２０１には、例えば、車両１００のステアリング２５０、スピーカ２６０、マイク２７０、エンジンコントロールユニット（ＥＣＵ：Engine Control Unit）２８０などが接続されている。ステアリング２５０は、例えば、車両１００の進行方向を変えるためのかじ取り装置である。スピーカ２６０は、例えば、音声を出力し、マイク２７０は、音声の入力を受け付ける。エンジンコントロールユニット２８０は、例えば、エンジンの運転制御を電気的な補助装置を用いて行う際に、それらを総合的に制御するマイクロコントローラである。スピードメータ２８１は、エンジンコントロールユニット２８０と接続されており、車両１００の走行速度を測定する。また、方向指示器２８２は、エンジンコントロールユニット２８０と接続されており、エンジンコントロールユニット２８０は、方向指示器がＯＮかＯＦＦかの状態を検出する。
【００１４】
例えば、ステアリング２５０は、セッション制御部２１２と接続されていてよく、セッション制御部２１２は、ステアリング２５０に備えられたＰＴＴ（Push To Talk）キーやＥＮＤキーなどで受け付けた操作入力を検出してよい。スピーカ制御部２２１は、例えば、スピーカ２６０と接続されていてよく、スピーカ２６０からの音声の出力を制御する。マイク制御部２２６は、例えば、マイク２７０を制御し、マイク２７０からの音声信号の入力を受け付けてよい。車両情報収集部２３２は、例えば、エンジンコントロールユニット２８０と接続されていてよく、エンジンコントロールユニット２８０から速度、方向指示器の状態、及びサイドブレーキの状態などの情報を取得してよい。
以上で述べた、各部（処理ブロック）の更なる詳細については、後述する。
【００１５】
図３は、実施形態に係るメッセージ情報３００を例示する図である。図３において、メッセージ情報３００には、例えば、メッセージＩＤ（identifier）、固定メッセージ、出力依頼元、及び出力先の情報を含むエントリが登録されている。メッセージＩＤは、エントリと対応する固定メッセージを識別するためのＩＤである。固定メッセージは、例えば、予め用意した固定の内容の音声メッセージである。出力依頼元は、例えば、固定メッセージの出力を依頼してくる依頼元のブロックを示す情報である。出力先は、例えば、固定メッセージの出力先のブロックを示す情報である。なお、例えば、メッセージＩＤで識別される固定メッセージを、以下の説明では、固定メッセージの後にＩＤの番号を付して表記することがある。例えば、固定メッセージ１とは、ＩＤ１で識別される固定メッセージであってよい。
【００１６】
図４は、実施形態に係る処理ブロック間制御メッセージ情報４００を例示する図である。処理ブロック間制御メッセージ情報４００には、例えば、処理ブロック間制御メッセージ、ＩＤ、送信元、及び送信先の情報を含むエントリが登録されている。処理ブロック間制御メッセージは、例えば、メッセージの名称であり、ＩＤは、そのメッセージを識別するためのＩＤである。送信元は、例えば、エントリと対応するメッセージの送信元であり、送信先はエントリと対応するメッセージの送信先である。なお、処理ブロック間制御メッセージ情報４００には、上述の車載機１０１が備える処理ブロック間でやり取りされるメッセージが登録されている。
【００１７】
図５は、実施形態に係る携帯端末間制御メッセージ情報５００を例示する図である。携帯端末間制御メッセージ情報５００には、例えば、携帯端末間制御メッセージ、ＩＤ、送信元、及び送信先の情報を含むエントリが登録されている。携帯端末間制御メッセージは、例えば、メッセージの名称であり、ＩＤは、そのメッセージを識別するためのＩＤである。送信元は、例えば、エントリと対応するメッセージの送信元であり、送信先はエントリと対応するメッセージの送信先である。なお、携帯端末間制御メッセージ情報５００には、車載機１０１と、携帯端末１０２との間でやり取りされるメッセージが登録されている。
【００１８】
図６は、メッセージフォーマット６００を例示する図である。メッセージフォーマット６００は、例えば、ＩＤ、送信元、送信先、データ長、及びデータ［０］〜［ｎ］を含む。ＩＤ、送信元、及び送信先には、例えば、送信するメッセージに応じて処理ブロック間制御メッセージ情報４００又は携帯端末間制御メッセージ情報５００から取得されたＩＤ、送信元、送信先が格納されてよい。データ長は、メッセージで伝送するデータのデータ長であり、以降のデータ［０］〜［ｎ］に伝送するデータが格納される。データ［０］〜［ｎ］には、送信するメッセージに応じて様々な情報が登録されてよい。
【００１９】
図７は、実施形態に係る要求データ構成７００を例示する図である。要求データ構成７００は、例えば、後述する処理において、簡易通話切替要求、セッション確立要求メッセージ、及びVoice mail session requestなどに含まれるメッセージフォーマット６００のデータ［０］〜［ｎ］のデータ構成として用いられてよい。要求データ構成７００は、例えば、情報要素名に示される電話番号情報有無、電話番号桁数、電話番号１桁目〜ｍ桁目までの情報などを含んでよい。電話番号情報有無は、例えば、通話相手の端末１０３の電話番号の情報を含むか否かを示す情報である。例えば、相手の端末１０３から番号通知ありで着信があった場合には、電話番号情報有無には、情報有り（例えば、値：１）が登録されてよく、非通知で着信があった場合には、電話番号情報有無には情報無し（例えば、値：０）が登録されてよい。電話番号桁数は、電話番号情報有無が有りの場合に、その着信のあった電話番号の桁数であってよく、次の電話番号１桁目〜ｍ桁目までに相手の電話番号の各桁の数字が順に１文字ずつ格納されていてよい。
【００２０】
図８は、実施形態に係る応答データ構成８００を例示する図である。応答データ構成８００は、例えば、後述する処理において、セッション確立応答、簡易通話切替応答、及びVoice mail session responseなどに含まれるメッセージフォーマット６００のデータ［０］〜［ｎ］のデータ構成として用いられてよい。応答データ構成８００は、例えば、情報要素名に示される複数の情報を含んでいてよく、簡易通話アプリケーション有無、アプリケーション名称桁数、名称１桁目〜ｍ桁目までの情報含んでいてよい。簡易通話アプリケーション有無は、例えば、通話相手の端末１０３と携帯端末１０２との間で共通して利用しているボイスメールの機能を提供するアプリケーションがあるか否かを示す情報である。なお、ボイスメールを用いた通信相手とのやり取りによる代替通話を、以下の説明で簡易通話と呼ぶことがある。また、ボイスメールの機能を提供するアプリケーションとしては、例えば、Ｆａｃｅｂｏｏｋ（登録商標）、ＬＩＮＥ（登録商標）などのＳＮＳ（Social Networking Service）アプリケーションがある。アプリケーション名称桁は、アプリケーション名称桁が有りの場合に、そのアプリケーションの名称の桁数が登録されていてよい。次の名称１桁目〜ｍ桁目までの情報には、アプリケーションの名称が順に１文字ずつ格納されていてよい。なお、例えば、応答データ構成８００には、複数のアプリケーションの情報が登録されてもよい。
【００２１】
図９は、実施形態に係る通知データ構成９００を例示する図である。通知データ構成９００は、例えば、後述する処理において、簡易通話切替通知、セッション確立通知、及びVoice mail session notificationなどに含まれるメッセージフォーマット６００のデータ［０］〜［ｎ］のデータ構成として用いられてよい。通知データ構成９００は、例えば、情報要素名に示される複数の情報を含んでいてよく、アプリケーション名称桁数、及びアプリケーション名称の１桁目〜ｍ桁目までの情報を含んでよい。アプリケーション名称桁数は、例えば、簡易通話で用いるアプリケーションの名称の桁数であり、次のアプリケーション名称１桁目〜ｍ桁目までにアプリケーションの名称の各桁の文字が順に格納されていてよい。
【００２２】
また、処理ブロック間制御メッセージ情報４００及び携帯端末間制御メッセージ情報５００に登録されているその他のメッセージは、例えば、メッセージフォーマット６００のＩＤ、送信元、送信先を含むメッセージであってよい。その他のメッセージには、例えば、簡易通話切替終了メッセージ、セッション解放通知、Voice mail session release、Voicemail send start、Voicemail send end、Voicemail receive start、Voicemail receive endなどのメッセージが含まれてよい。
【００２３】
続いて、実施形態に係る車載機１０１の各部が実行する処理について説明する。図１０は、実施形態に係る走行状態の通知処理を例示する図である。図１０の処理は、例えば、車載機１０１が起動すると開始してよい。
【００２４】
走行モード管理部２３１は、例えば、車両情報収集部２３２に、車両情報を収集するように要求する車両情報収集開始要求を通知し（Ｓ１００１）、その応答で、車両情報の収集を開始したことを示す車両情報収集開始応答を受信する（Ｓ１００２）。
【００２５】
車両情報の収集を開始した車両情報収集部２３２は、例えば、エンジンコントロールユニット２８０から取得した車両の走行に関する情報から、車両が走行を開始して車両の状態が停止中から走行中に変化したことを検出したとする。すると、車両情報収集部２３２は、走行モード管理部２３１に車両１００が走行中となったことを通知する車両情報変化通知を送信する（Ｓ１０１１）。なお、車両の状態の変化は例えば、スピードメータ２８１の計測値やサイドブレーキが引かれているか否かの情報などを用いて検出されてよい。
【００２６】
走行モード管理部２３１は、車両１００が走行中となったことを示す車両情報変化通知を受信すると、電話アプリケーション部２２２に、走行状態情報を、走行中であることを示す走行モードに設定するように指示する走行状態通知を送信する（Ｓ１０１２）。走行状態通知を受信すると、電話アプリケーション部２２２は、例えば、記憶部２３０に記憶されている走行状態情報を走行モードに設定する。
【００２７】
また、車両情報収集部２３２は、例えば、エンジンコントロールユニット２８０から取得した、方向指示器のＯＮ（オン）及びＯＦＦ（オフ）を示す情報に基づいて、車両の方向指示器がＯＦＦからＯＮになったことを検出したとする。この場合、車両情報収集部２３２は、走行モード管理部２３１に車両１００の方向指示器がＯＮになったことを示す車両情報変化通知を送信する（Ｓ１０２１）。
【００２８】
走行モード管理部２３１は、車両１００の方向指示器がＯＮになったことを示す車両情報変化通知を受信すると、電話アプリケーション部２２２に方向指示器がＯＮになったことを示す走行状態通知を送信する（Ｓ１０２２）。そして、方向指示器がＯＮであることを示す走行状態通知を受信した電話アプリケーション部２２２は、例えば、記憶部２３０に記憶されている方向指示器情報を、方向指示器がＯＮであることを示す情報に設定する。
【００２９】
一方、車両情報収集部２３２は、例えば、エンジンコントロールユニット２８０から取得した、方向指示器のＯＮ（オン）及びＯＦＦ（オフ）を示す情報に基づいて、車両の方向指示器がＯＮからＯＦＦになったことを検出したとする。この場合、車両情報収集部２３２は、走行モード管理部２３１に、車両１００の方向指示器がＯＦＦになったことを示す車両情報変化通知を送信する（Ｓ１０３１）。
【００３０】
走行モード管理部２３１は、車両１００の方向指示器がＯＦＦになったことを示す車両情報変化通知を受信すると、電話アプリケーション部２２２に方向指示器がＯＦＦになったことを示す走行状態通知を送信する（Ｓ１０３２）。そして、方向指示器がＯＦＦであることを示す走行状態通知を受信した電話アプリケーション部２２２は、例えば、記憶部２３０に記憶されている方向指示器情報を、方向指示器がＯＦＦであることを示す情報に設定する。
【００３１】
また、車両情報の収集を開始した車両情報収集部２３２が、例えば、エンジンコントロールユニット２８０から取得した車両の走行に関する情報に基づいて、車両の状態が走行中から停止中に変化したことを検出したとする。この場合、車両情報収集部２３２は、走行モード管理部２３１に車両１００が停止中となったことを示す車両情報変化通知を送信する（Ｓ１０４１）。
【００３２】
走行モード管理部２３１は、車両１００が停止中となったことを示す車両情報変化通知を受信すると、電話アプリケーション部２２２に走行モードを解除するように指示する走行状態通知を送信する（Ｓ１０４２）。電話アプリケーション部２２２は、走行モードを解除するように指示する走行状態通知を受信すると、例えば、記憶部２３０に記憶されている走行状態情報の走行モードを解除する。
【００３３】
従って、図１０の処理によれば、電話アプリケーション部２２２は、車両１００が走行中であるか、停車中であるのかの状態や、方向指示器がＯＮであるかＯＦＦあるかの状態などを取得することができる。
【００３４】
図１１は、実施形態に係る電話着信時の処理を例示する図である。例えば、車載機１０１と接続された携帯端末１０２に相手の端末１０３から着信があったとする。この場合、着信があったことを示す着信通知が無線制御部２２４及びＨＦＰ／ＳＣＯ制御部２２３を介して電話アプリケーション部２２２に通知される（Ｓ１１０１）。なお、車載機１０１は、例えば、携帯端末１０２とBluetoothなどの近距離無線通信で接続されていてよく、着信通知などの車載機１０１と携帯端末１０２との間での通信は、ＡＴコマンドを用いて実行されてよい。例えば、携帯端末１０２は、電話の着信を受けた場合、＋ＣＩＥＶコマンドを用いて車載機１０１に着信を通知してよい。また、着信通知には、電話をかけてきた相手の電話番号の情報が含まれていてよい。
【００３５】
電話アプリケーション部２２２は、着信通知を受信すると、ＨＦＰ／ＳＣＯ制御部２２３と、無線制御部２２４とを介して、携帯端末１０２にＡＴＡコマンドで応答を返信する。（Ｓ１１０２）。なお、携帯端末１０２は、ＡＴＡコマンドを受信すると着信を取り、通話を確立する。また、電話アプリケーション部２２２は、例えば、再生制御部２１４に、メッセージ情報３００においてＩＤ１のメッセージＩＤで識別されるメッセージの再生開始を指示する再生指示を送信する（Ｓ１１０３）。なお、メッセージ情報３００の例では、ＩＤ１の固定メッセージは、出力先として、ＨＦＰ／ＳＣＯ制御部２２３が指定されている。この場合、再生制御部２１４は、ＩＤ１で識別されるエントリのメッセージ「只今、運転中のため応答できません。合図の後にメッセージをどうぞ。」を、ＨＦＰ／ＳＣＯ制御部２２３を出力先として再生する（Ｓ１１０４）。ＨＦＰ／ＳＣＯ制御部２２３は、例えば、ブルートゥース（登録商標）のＨＦＰプロファイルとＳＣＯプロファイルとを用いて音声を再生し、携帯端末１０２に伝送し、携帯端末１０２から相手の端末１０３に音声が届けられる。
【００３６】
再生制御部２１４は、メッセージの再生が完了すると、再生が完了したことを示す再生終了通知を電話アプリケーション部２２２に送信する（Ｓ１１０５）。電話アプリケーション部２２２は、例えば、再生終了通知を受信すると、伝言メッセージの録音の開始を録音制御部２１３に指示する（Ｓ１１０６）。
【００３７】
また、電話アプリケーション部２２２は、簡易通話切替要求を通話切替制御部２１１に出力する（Ｓ１１０７）。簡易通話切替要求は、例えば、通話に用いている回線交換方式の電話回線とは別に、パケット交換方式のデータ回線を携帯端末１０２との間で確立するように指示する要求である。簡易通話切替要求は、例えば、要求データ構成７００のデータを含んでいてよい。
【００３８】
通話切替制御部２１１は、例えば、簡易通話切替要求を受信すると、セッション制御部２１２に、携帯端末１０２との間でセッションを確立するように指示するセッション確立要求メッセージを送信する（Ｓ１１０８）。なお、セッションは、例えば、ＳＰＰセッションであってよい。
【００３９】
セッション制御部２１２は、セッション確立要求メッセージの通知を受けるとＳＰＰ制御部２２５に、携帯端末１０２へのVoice Mail session requestメッセージの送信を依頼するメッセージ送信要求を送信する（Ｓ１１０９）。それにより、ＳＰＰ制御部２２５は、Voice Mail session requestメッセージを携帯端末１０２に送信する。なお、セッション確立要求メッセージ及びVoice Mail session requestメッセージは、例えば、要求データ構成７００のデータを含んでいてよい。
【００４０】
そして、ＳＰＰ制御部２２５は、Voice Mail session requestメッセージに対する応答として、携帯端末１０２から無線制御部２２４を介して、Voice Mail session responseメッセージを受信する。ＳＰＰ制御部２２５は、Voice Mail session responseメッセージの内容を含むメッセージ受信通知を、セッション制御部２１２に送信する（Ｓ１１１０）。なお、以上で述べた様に、セッション制御部２１２が、ＳＰＰ制御部２２５に要求してVoice Mail session requestなどのメッセージを携帯端末１０２に送信する場合、以下の説明では、メッセージ送信要求（Voice Mail session request）と記載することがある。また、同様に、セッション制御部２１２が、ＳＰＰ制御部２２５を介して、Voice Mail session responseなどのメッセージを携帯端末１０２から受信する場合、以下の説明では、メッセージ受信通知（Voice Mail session response）と記載することがある。
【００４１】
メッセージ受信通知を受信したセッション制御部２１２は、通話切替制御部２１１に、携帯端末１０２へのセッションの確立依頼が完了したことを示すセッション確立応答を送信する（Ｓ１１１１）。セッション確立応答を受信した通話切替制御部２１１は、電話アプリケーション部２２２に簡易通話切替応答を通知し、携帯端末１０２とパケット通信のためのセッションが確立を依頼したことを知らせる（Ｓ１１１２）。なお、Voice Mail session response、セッション確立応答、及び簡易通話切替応答は、例えば、応答データ構成８００と同様の情報を含んでいてよい。
【００４２】
また、Ｓ１１０６で伝言メッセージの録音を開始した以降に、相手の端末１０３から携帯端末１０２を介して伝言メッセージが入力された場合、録音制御部２１３は、入力された音声を記憶部２３０に録音する（Ｓ１１１３）。そして、電話アプリケーション部２２２は、例えば、所定のタイミングで伝言メッセージの録音を停止する伝言停止指示を録音制御部２１３に通知し、伝言停止指示を受けた録音制御部２１３は、録音を停止する（Ｓ１１１４）。続いて、電話アプリケーション部２２２は、メッセージＩＤ２又はＩＤ３で識別される固定メッセージの再生を指示する再生開始指示を、再生制御部２１４に送信する（Ｓ１１１５）。再生制御部２１４は、メッセージＩＤ２又はＩＤ３で識別される固定メッセージ２又は３を、メッセージ情報３００から特定し、特定されたエントリのメッセージの音声を再生して出力先のＨＦＰ／ＳＣＯ制御部２２３に出力する（Ｓ１１１６）。なお、固定メッセージ２が再生される場合、簡易通話の実行の有無を問い合わせる「メッセージを預かりました。○○のボイスメールで簡易通話を続けたい場合は、数字の０を、続けたくない場合は、電話をお切りください。」などのメッセージが再生されてよい。再生制御部２１４は、メッセージの再生が完了すると、再生が完了したことを示す再生終了通知を電話アプリケーション部２２２に送信する（Ｓ１１１７）。
【００４３】
以上で述べた様に、車載機１０１の制御部２０１は、携帯端末１０２から着信通知を受信した場合に、携帯端末１０２との間で、通話に用いている回線交換方式の電話回線とは別に、データ通信のためのパケット交換方式のデータ回線でのセッションを確立する。そのため、データ回線を用いて携帯端末１０２と通信することが可能となる。
【００４４】
図１２は、例えば、図１１のＳ１１１５で固定メッセージ２を再生し、相手の端末１０３でボタンを押したプッシュ音で、簡易通話を行うか否かの情報が入力された際に実行される処理である。なお、固定メッセージ２は、例えば、簡易通話の実行の有無を問うメッセージであってよい。
【００４５】
例えば、通話相手が、簡易通話を承諾したことを示す数字０を押し、数字０のプッシュ音が通話において入力された場合、ＳＰＰ制御部２２５は、通話相手が簡易通話を承諾したことを検知する（Ｓ１２０１）。そして、セッション制御部２１２に簡易通話を承諾したことを示すメッセージ受信通知（Voice mail session notification）を送信する（Ｓ１２０２）。
【００４６】
通話相手が、簡易通話を承諾したことを示す数字０を押し、簡易通話を承諾したことを示すプッシュ音が携帯端末１０２に入力されたとする。すると、携帯端末１０２は、セッションを車載機１０１との間で確立して、セッションが確立できたことを示すVoice mail session notificationメッセージをＳＰＰ制御部２２５に通知する（Ｓ１２０１）。Voice mail session notificationメッセージを受けた、ＳＰＰ制御部２２５は、セッション制御部２１２に、Voice mail session notificationの内容を含むメッセージ受信通知を送信する（Ｓ１２０２）。
【００４７】
なお、Voice mail session notificationには、例えば、相手の端末１０３との間で、簡易通話に利用可能なアプリケーションを示す情報が含まれていてよい。例えば、携帯端末１０２は、メッセージ送信要求で通知された相手の端末１０３の電話番号を基に、携帯端末１０２にインストールされている所定の簡易通話が可能なアプリケーションを、相手の端末１０３が備えているか否かを判定する。携帯端末１０２は、例えば、携帯端末１０２にインストールされている簡易通話可能なアプリケーションのサービスを提供しているＳＮＳなどに、電話番号を用いて問い合わせる。それにより、携帯端末１０２は、相手の端末１０３にそのアプリケーションがインストールされているかの情報を取得してよい。
【００４８】
セッション制御部２１２は、メッセージ受信通知（Voice mail session notification）を受信すると、メッセージ受信通知で通知された簡易通話に利用可能なアプリケーションの中から、簡易通話に利用するアプリケーションを決定する。なお、アプリケーションは、例えば、所定の優先順位で決定されてもよいし、又はユーザに問い合わせて決定されてもよい。なお、ユーザは、例えば、車両１００を運転する運転手や同乗者などであってよい。また、例えば、利用可能なアプリケーションが１つの場合には、そのアプリケーションに決定されてよい。そして、セッション制御部２１２は、決定したアプリケーションの情報を含むセッション確立通知を通話切替制御部２１１に送信する（Ｓ１２０３）。セッション確立通知は、例えば、通知データ構成９００のデータを含んでいてよい。
【００４９】
通話切替制御部２１１は、セッション確立通知を受信すると、電話アプリケーション部２２２に簡易通話切替通知を送信する（Ｓ１２０４）。なお、簡易通話切替通知は、例えば、通知データ構成９００のデータを含んでいてよい。
【００５０】
電話アプリケーション部２２２は、簡易通話切替通知を受信すると、ＩＤ４で識別される固定メッセージの再生開始指示を再生制御部２１４に送信する（Ｓ１２０５）。再生制御部２１４は、例えば、メッセージ情報３００を参照して、ＩＤ４で識別されるメッセージの音声を再生して、ＨＦＰ／ＳＣＯ制御部２２３に出力する（Ｓ１２０６）。再生制御部２１４は、メッセージの再生が完了すると、再生が完了したことを示す再生終了通知を電話アプリケーション部２２２に送信する（Ｓ１２０７）。電話アプリケーション部２２２は、再生終了通知を受信すると、ＨＦＰ／ＳＣＯ制御部２２３に通話の切断を依頼する切断通知を出力する（Ｓ１２０８）。ＨＦＰ／ＳＣＯ制御部２２３は、切断通知を受信すると、通話を切断するように指示する切断指示（例えば、ＡＴＨコマンド）を携帯端末１０２に出力する（Ｓ１２０９）。
【００５１】
また、例えば、所定期間にわたって、相手の端末１０３で簡易通話を承諾したことを示す情報が入力されなかった場合、携帯端末１０２は、簡易通話が承諾されなかったことを検出し、Voice mail session releaseメッセージを車載機１０１に送信する。ＳＰＰ制御部２２５は、Voice mail session releaseメッセージを受信すると（Ｓ１２１１）、セッション制御部２１２に簡易通話が承諾されなかったことを示すメッセージ受信通知（Voice mail session release）を送信する（Ｓ１２１２）。
【００５２】
セッション制御部２１２は、メッセージ受信通知（Voice mail session release）を受信すると、確立した携帯端末１０２との間でのセッションを解放し、セッションを解放したことを示すセッション解放通知を通話切替制御部２１１に出力する（Ｓ１２１３）。通話切替制御部２１１は、セッション解放通知を受信すると、簡易通話へ切り替えを終了することを示す簡易通話切替終了メッセージを電話アプリケーション部２２２に送信する（Ｓ１２１４）。電話アプリケーション部２２２は、簡易通話切替終了メッセージを受信すると、ＨＦＰ／ＳＣＯ制御部２２３に通話の切断通知を出力する（Ｓ１２１５）。ＨＦＰ／ＳＣＯ制御部２２３は、切断通知を受け付けると、通話を切断するように指示する切断指示（例えば、ＡＴＨコマンド）を携帯端末１０２に送信する（Ｓ１２１６）。なお、電話アプリケーション部２２２は、例えば、図１１のＳ１１１４で伝言の録音を終了するまでは、切断指示の送信を待機してよい。
【００５３】
以上の図１２の処理によれば、制御部２０１は、簡易通話を行う場合には、簡易通話で用いるアプリケーションを決定して、相手にアプリケーションを通知し、簡易通話に切り替えることができる。
【００５４】
図１３は、録音された伝言メッセージの再生処理を例示する図である。例えば、図１１のＳ１１０６〜Ｓ１１１４で、録音制御部２１３が伝言メッセージを記憶部２３０に録音したとする。この場合、録音制御部２１３は、伝言メッセージの録音を終了すると、車両１００の方向指示器がＯＦＦであるか否かを確認する。ここで、方向指示器がＯＮである場合には、録音制御部２１３は、方向指示器がＯＦＦになるまで待機してよい。録音制御部２１３は、例えば、所定の期間にわたって方向指示器がＯＦＦの状態が継続した場合に、方向指示器がＯＦＦと判定してもよい。方向指示器がＯＦＦである場合、録音制御部２１３は、伝言メッセージを蓄積したことを示す伝言蓄積通知を電話アプリケーション部２２２に送信する（Ｓ１３０１）。
【００５５】
電話アプリケーション部２２２は、伝言蓄積通知を受信すると、ＩＤ５で識別される固定メッセージの再生開始指示を再生制御部２１４に送信する（Ｓ１３０２）。再生制御部２１４は、例えば、メッセージ情報３００を参照して、ＩＤ５で識別されるメッセージを再生して、スピーカ制御部２２１を介してスピーカ２６０から音声を出力する（Ｓ１３０３）。なお、ＩＤ５で識別されるメッセージは、着信があり伝言メッセージを預かったことを示す音声メッセージであってよい。再生制御部２１４は、メッセージの再生が終了すると、再生が終了したことを示す再生終了通知を電話アプリケーション部２２２に送信する（Ｓ１３０４）。
【００５６】
以上で述べた様に、制御部２０１は、伝言メッセージを預かった場合に、方向指示器がＯＦＦの状態のときを選んで伝言メッセージを預かったことをユーザに送信することができる。例えば、方向指示器をＯＮにしている場合、車両１００の運転手は方向指示器がＯＦＦの状態での走行時よりも、危険性の高い状況で運転している可能性がある。そのため、方向指示器がＯＦＦの状態のときを選んで伝言メッセージを預かったことを通知することで、運転の安全性を高めることができる。
【００５７】
図１４は、実施形態に係る電話発信時の処理を例示する図である。
例えば、車載機１０１と接続された携帯端末１０２で電話の発信を行ったとする。この場合、発信があったことを示す発信通知（例えば、＋ＣＩＥＶコマンド）が、携帯端末１０２から無線制御部２２４とＨＦＰ／ＳＣＯ制御部２２３を介して電話アプリケーション部２２２に通知される（Ｓ１４０１）。なお、図１４では、例えば、ユーザが携帯端末１０２に発信の指示を入力する場合を例示しているが、ユーザは、車載機１０１に発信の指示を入力して、車載機１０１が携帯端末１０２に発信を指示してもよい。また、発信通知には、携帯端末１０２から電話をかけた相手の端末１０３の電話番号の情報が含まれていてよい。
【００５８】
電話アプリケーション部２２２は、発信通知を受信した際に車両１００が走行中であれば、ＨＦＰ／ＳＣＯ制御部２２３に電話の切断通知を通知し、ＨＦＰ／ＳＣＯ制御部２２３は、切断指示（例えば、ＡＴＨコマンド）を携帯端末１０２に通知する（Ｓ１４０２）。それにより、携帯端末１０２は、電話の発信を終了する。ここでは、例えば、運転手が運転中であり、通話するのが好ましくない状況にあるので、電話を切っている。また、電話アプリケーション部２２２は、例えば、簡易通話切替要求を通話切替制御部２１１に出力する（Ｓ１４０３）。なお、簡易通話切替要求には、発信通知に含まれていた発信先の相手の端末１０３の電話番号が含まれていてよい。
【００５９】
通話切替制御部２１１は、例えば、簡易通話切替要求を受信すると、セッション制御部２１２に、携帯端末１０２との間でセッションを確立するように指示するセッション確立要求メッセージを送信する（Ｓ１４０４）。
【００６０】
セッション制御部２１２は、セッション確立要求メッセージを受信すると、ＳＰＰ制御部２２５と無線制御部２２４とを介して、携帯端末１０２にメッセージ送信要求（Voice Mail session request）を送信し、セッションの確立を指示する（Ｓ１４０５）。
【００６１】
セッション制御部２１２は、ＳＰＰ制御部２２５と無線制御部２２４とを介して、メッセージ送信要求に対する応答としてメッセージ受信通知（Voice mail session response）を、携帯端末１０２から受信する（Ｓ１４０６）。なお、Voice mail session responseには、上述の応答データ構成８００で例示する相手の端末１０３との間での簡易通話に利用可能なアプリケーションに関する情報が含まれていてよい。携帯端末１０２は、例えば、メッセージ送信要求で通知された相手の端末１０３の電話番号を用いて、携帯端末１０２にインストールされている簡易通話が可能なアプリケーションを相手の端末１０３が備えているか否かを判定してよい。例えば、携帯端末１０２は、ＳＮＳなどに、電話番号を用いて問い合わせることで、携帯端末１０２にインストールされている簡易通話が可能なアプリケーションが相手の端末１０３にインストールされているか否かの情報を取得してよい。
【００６２】
メッセージ受信通知を受信したセッション制御部２１２は、携帯端末１０２にセッションの確立を依頼したことを示すセッション確立応答を通話切替制御部２１１に送信する（Ｓ１４０７）。続いて、通話切替制御部２１１は、電話アプリケーション部２２２に簡易通話切替応答を通知する（Ｓ１４０８）。
【００６３】
その後、セッション制御部２１２は、携帯端末１０２からＳＰＰ制御部２２５を介して、携帯端末１０２との間でセッションが確立されたことを示すメッセージ受信通知（Voice mail session notification）を受信する（Ｓ１４０９）。メッセージ受信通知（Voice mail session notification）を受信したセッション制御部２１２は、セッションが確立されたことを示すセッション確立通知を、通話切替制御部２１１に送信する（Ｓ１４１０）。
【００６４】
セッション確立通知を受信した通話切替制御部２１１は、電話アプリケーション部２２２に簡易通話切替通知を送信し、携帯端末１０２との間で、データ回線でセッションが確立できたことを知らせる（Ｓ１４１１）。
【００６５】
電話アプリケーション部２２２は、簡易通話切替通知を受信すると、ＩＤ６で識別される固定メッセージの再生を指示する再生開始指示を再生制御部２１４に送信する（Ｓ１４１２）。再生制御部２１４は、例えば、メッセージ情報３００を参照して、ＩＤ６で識別されるメッセージの音声を再生し、スピーカ制御部２２１に出力する（Ｓ１４１３）。なお、出力先が、スピーカ制御部２２１であるため、音声は車両１００のスピーカ２６０から出力され、運転手は音声を聞くことができる。また、固定メッセージ６は、例えば、簡易通話で利用するＳＮＳアプリケーション名や、簡易通話のやり方などをユーザに説明する音声を含んでいてよい。例えば、固定メッセージ６は、「走行中のため○○のボイスメールでのみ簡易会話可能です。簡易会話する場合は、ＰＴＴ（Push To Talk）キーを、押下しながら発話してください。不要であれば、ＥＮＤキーを押下してください。」であってよい。
【００６６】
再生制御部２１４は、メッセージの再生が終了すると、再生が終了したことを示す再生終了通知を電話アプリケーション部２２２に送信する（Ｓ１４１４）。なお、例えば、Ｓ１４０６で受信したメッセージ受信通知（Voice mail session response）に、簡易通話に利用可能なアプリケーションの情報が含まれていないなど、簡易通話で利用するアプリケーションを決定できないこともある。この場合には、Ｓ１４１３では固定メッセージ７が再生されてよい。
【００６７】
以上で述べた様に、車載機１０１の制御部２０１は、車両１００が走行中に、携帯端末１０２から相手の端末１０３に向けて発信した場合にも、電話回線からデータ回線に切り替えることができる。
【００６８】
図１５は、実施形態に係る音声メッセージ送信処理を例示する図である。
例えば、ユーザが音声メッセージを相手の端末１０３に送る場合、車両１００のステアリングに備えられたＰＰＴキーを長押しする。すると、ＰＰＴキーを長押ししたことを示す通知がセッション制御部２１２に送信される（Ｓ１５０１）。セッション制御部２１２は、通知を受けると、マイク制御部２２６にマイク２７０をＯＮにするように指示する。マイク制御部２２６は、マイク２７０をＯＮにする指示を受けると、マイク２７０をＯＮにし、音声の入力を受け付ける（Ｓ１５０２）。一方で、セッション制御部２１２は、録音制御部２１３に音声の録音を開始するように指示する（Ｓ１５０３）。
【００６９】
続いて、ユーザが、例えば、メッセージを発声することで、メッセージをマイク２７０に入力し、マイク制御部２２６は、録音制御部２１３にメッセージの音声データを伝送する。録音制御部２１３は、音声データを記憶部２３０に録音する（Ｓ１５０４）。
【００７０】
続いて、ユーザが、音声メッセージの入力を終えるために、ＰＰＴキーの押し下げを解放すると、ＰＰＴキーの押し下げが解放されたことを示す解放通知がセッション制御部２１２に入力される（Ｓ１５０５）。セッション制御部２１２は、解放通知を受けると、マイク制御部２２６にマイク２７０をＯＦＦにするように指示する。マイク制御部２２６は、マイク２７０をＯＦＦにする指示を受けると、マイク２７０をＯＦＦに制御し、音声の入力受け付けを終了する（Ｓ１５０６）。また、セッション制御部２１２は、録音制御部２１３に録音を停止するように指示する録音停止指示を送信する（Ｓ１５０７）。
【００７１】
録音制御部２１３は、録音停止指示を受信すると、録音を停止し、また、音声メッセージを蓄積したことを示す音声蓄積通知を、セッション制御部２１２に送信する（Ｓ１５０８）。セッション制御部２１２は、音声蓄積通知を受信すると、相手の端末１０３に宛てて音声メッセージを送信するように指示するメッセージ送信開始要求（Voice mail send start）をＳＰＰ制御部２２５と無線制御部２２４とを介して携帯端末１０２に送信する（Ｓ１５０９）。また、セッション制御部２１２は、例えば、再生制御部２１４に、音声メッセージの再生を指示する再生開始指示を送信する（Ｓ１５１０）。再生制御部２１４は、再生開始指示を受け付けると、音声メッセージを再生しながら、再生した音声データを携帯端末１０２との間で確立したセッションで伝送し（Ｓ１５１１）、音声データは携帯端末１０２からデータ回線で、通話相手の端末１０３に送られる。
【００７２】
再生制御部２１４は、音声メッセージの再生が終了すると、セッション制御部２１２に再生が終了したことを示す再生終了通知を送信する（Ｓ１５１２）。セッション制御部２１２は、再生終了通知を受けると、相手の端末１０３に宛てたメッセージの送信を終了することを通知するメッセージ送信要求（Voice mail send end）をＳＰＰ制御部２２５と無線制御部２２４とを介して携帯端末１０２に送信する（Ｓ１５１３）。
【００７３】
以上で述べたように、ユーザは、所望のタイミングで相手先に向けた音声メッセージを入力することができる。そして、入力された音声メッセージは電話回線ではなく、データ回線を用いて相手先に送信することができる。ユーザが所望のタイミングで音声メッセージを入力することができるため、例えば、走行時の車両１００の運転負荷などに応じて、事故などの危険性の低いタイミングを選んで、音声メッセージを入力することが可能である。
【００７４】
続いて、伝言メッセージの受信処理を説明する。図１６は、伝言メッセージ受信処理を例示する図である。例えば、携帯端末１０２と車載機１０１との間でセッションが未確立の場合、伝言メッセージを受信すると携帯端末１０２は、車載機１０１にVoice mail session notificationを送信する。車載機１０１のＳＰＰ制御部２２５は、携帯端末１０２からVoice mail session notificationを受信すると（Ｓ１６０１）、携帯端末１０２で伝言メッセージが受信されたことを示すメッセージ受信通知（Voice mail session notification）をセッション制御部２１２に送信する（Ｓ１６０２）。
【００７５】
セッション制御部２１２は、メッセージ受信通知（Voice mail session notification）を受け付けると、セッションが未確立であれば、携帯端末１０２との間でセッションを確立する。そして、セッション制御部２１２は、セッションを確立すると、セッション確立通知を通話切替制御部２１１に送信する（Ｓ１６０３）。通話切替制御部２１１は、セッション確立通知を受けると、電話アプリケーション部２２２に、簡易通話切替通知を送信する（Ｓ１６０４）。
【００７６】
また、セッションが確立すると、ＳＰＰ制御部２２５は、携帯端末１０２からVoice mail receive startの通知を受信する（Ｓ１６０５）。ＳＰＰ制御部２２５は、Voice mail receive startを受信すると、セッション制御部２１２に、メッセージ受信通知（Voice mail receive start）を通知し、メッセージの受信の開始を指示する（Ｓ１６０６）。なお、Ｓ１６０１〜Ｓ１６０５までの処理では、セッションが未確立の場合の処理を例示したが、例えば、既にセッションを確立済みである場合には、Ｓ１６０５から処理が開始してよい。
【００７７】
セッション制御部２１２は、メッセージ受信通知（Voice mail receive start）を受信すると、録音制御部２１３に、メッセージの録音を開始するように指示する（Ｓ１６０７）。そして、録音制御部２１３は、相手の端末１０３から携帯端末１０２に伝送された音声メッセージを録音する（Ｓ１６０８）。なお、音声メッセージは、ボイスメールなどで通知されてよい。携帯端末１０２は、車載機１０１へのメッセージの送信が完了すると、Voice mail receive endの通知を、ＳＰＰ制御部２２５に送信する。ＳＰＰ制御部２２５は、Voice mail receive end通知を受けると、セッション制御部２１２に、メッセージの伝送が終了したことを示すメッセージ受信通知（Voice mail receive end）を送信する（Ｓ１６０９）。
【００７８】
メッセージ受信通知（Voice mail receive end）を受信すると、セッション制御部２１２は、録音制御部２１３に伝言メッセージの録音停止を指示する（Ｓ１６１０）。録音制御部２１３は、伝言メッセージの録音停止の指示を受けると録音を停止し、伝言メッセージを蓄積したことを示す蓄積通知をセッション制御部２１２に送信する（Ｓ１６１１）。セッション制御部２１２は、蓄積通知を受信すると、蓄積通知を電話アプリケーション部２２２に送信して、伝言を預かったことを通知する（Ｓ１６１２）。
【００７９】
以上で述べた様に、車載機１０１は、相手の端末１０３から伝言メッセージをデータ回線を通じて受信することができる。
【００８０】
続いて、伝言メッセージの蓄積通知処理を説明する。図１７は、ユーザへの伝言メッセージの蓄積通知処理を例示する図である。例えば、電話アプリケーション部２２２は、上述のＳ１６１２で蓄積通知を受けると、方向指示器がＯＦＦであることを確認してから再生制御部２１４に、固定メッセージ８の再生開始指示を送信する（Ｓ１７０１）。なお、方向指示器がＯＮである場合には、電話アプリケーション部２２２は、方向指示器がＯＦＦになるのを待ってから、固定メッセージ８の再生開始指示を再生制御部２１４に通知してよい。
【００８１】
再生制御部２１４は、再生開始指示を受けると、メッセージＩＤ８で識別されるメッセージをメッセージ情報３００から取得して、スピーカ制御部２２１に送信する（Ｓ１７０２）。通知されたメッセージＩＤ８で識別されるメッセージは、スピーカ２６０を介して出力される。なお、メッセージＩＤ８で識別されるメッセージの音声は、例えば、メッセージを受信したことを示す音声であってよく、「メッセージを受信しました。再生しますか？」などの音声であってよい。それにより、車載機１０１は、ユーザにメッセージの受信を通知することができる。
【００８２】
メッセージの通知が完了すると、再生制御部２１４は、メッセージの再生終了通知を、電話アプリケーション部２２２に送信する（Ｓ１７０３）。
【００８３】
以上で述べた様に、車載機１０１は、伝言メッセージを受信すると、伝言メッセージを受信したことをユーザに通知することができる。また、通知を方向指示器がＯＦＦの状態で行うことで、ユーザが、神経を使う右左折や車線変更などの状況で音声メッセージが通知されてしまうことを抑制でき、事故の危険性を低めることができる。
【００８４】
続いて、簡易通話のメッセージ再生及び完了処理について説明する。図１８は、メッセージ再生及び完了処理を例示する図である。例えば、ユーザは、車載機１０１で預かったメッセージを聞くことが可能な状況になった場合、メッセージの再生指示を、ＰＴＴキーを短押しすることでセッション制御部２１２に入力する（Ｓ１８０１）。セッション制御部２１２は、再生指示を受けると、再生制御部２１４に伝言の再生を指示する（Ｓ１８０２）。
【００８５】
再生制御部２１４は、記憶部２３０に蓄積された伝言メッセージをスピーカ制御部２２１を介してスピーカ２６０から出力させて、ユーザに通知する（Ｓ１８０３）。また、預かったメッセージを全て再生し終わった場合、再生制御部２１４は、すべてのメッセージを再生し終わっていることを示す、例えば、「メッセージは以上です。」などのメッセージを、スピーカ制御部２２１を介してスピーカ２６０から出力させる（Ｓ１８０４）。伝言メッセージの再生が終了すると、再生制御部２１４は、セッション制御部に再生終了通知を送信する（Ｓ１８０５）。
【００８６】
続いて、セッション制御部２１２は、再生制御部２１４に、ＩＤ９で識別される固定メッセージ９の再生を指示する（Ｓ１８０６）。再生制御部２１４は、指示されたＩＤ９で識別される固定メッセージ９（例えば、「簡易会話する場合は、ＰＴＴ押下しながら発話してください。不要であれば、ＥＮＤキーを押下してください」）を、スピーカ制御部２２１を介してスピーカ２６０から出力させる（Ｓ１８０７）。再生制御部２１４は、メッセージの再生が終了すると、終了したことを示す再生終了通知をセッション制御部２１２に送信する（Ｓ１８０８）。
【００８７】
ここで、例えば、ユーザがステアリングに備えられたＥＮＤキーを長押しするなどして、簡易通話の終了指示を入力したとする（Ｓ１８０９）。すると、セッション制御部２１２は、ＳＰＰ制御部２２５に、Voice mail session releaseを、携帯端末１０２に向けて送信するように指示するメッセージ送信要求を通知する。ＳＰＰ制御部２２５は、Voice mail session releaseを携帯端末１０２に送信し、セッションを切断する（Ｓ１８１０）。なお、Voice mail session releaseは、例えば、携帯端末１０２にセッションの切断を指示する要求である。
【００８８】
また、セッション制御部２１２は、再生制御部２１４にＩＤ１０で識別される固定メッセージの再生の開始を指示する（Ｓ１８１１）。再生制御部２１４は、再生開始指示を受信すると、簡易通話の終了を通知する固定メッセージ１０（例えば、「簡易通話を終了します」）をスピーカ制御部２２１を介してスピーカ２６０から出力させる（Ｓ１８１２）。メッセージの再生が終了すると、再生制御部２１４は、再生終了通知をセッション制御部２１２に送信する（Ｓ１８１３）。セッション制御部２１２は、再生終了通知を受けると、通話切替制御部２１１にセッションを解放したことを示すセッション解放通知を送信する（Ｓ１８１４）。通話切替制御部２１１は、セッション解放通知を受けると、簡易通話切替終了メッセージを、電話アプリケーション部２２２に送信して、簡易通話の切り替えを終了したことを通知する（Ｓ１８１５）。
【００８９】
以上で述べた様に、ユーザは、所望のタイミングで、伝言メッセージを聞いたり、簡易通話を終了させたりすることができる。
【００９０】
続いて、上述の簡易通話切替に関する動作フローを説明する。
図１９は、通話切替制御部２１１が実行する通話切替制御処理の動作フローを例示する図である。通話切替制御部２１１は、例えば、車載機１０１が起動すると、図１９の動作フローを開始してよい。
【００９１】
Ｓ１９０１において通話切替制御部２１１は、イベントが検出されるのを待機する。例えば、メッセージの受信などのイベントを検出した場合、フローはＳ１９０２に進む。Ｓ１９０２において通話切替制御部２１１は、通知されたメッセージを読み込み、Ｓ１９０３において読み込んだメッセージをチェックする。例えば、メッセージが所定の情報を含んでいないなどしてメッセージに不備がある場合（Ｓ１９０３がＮＧ）、フローはＳ１９０１に戻り、通話切替制御部２１１は次のイベントの受信を待機する。一方、例えば、メッセージに不備が無い場合には（Ｓ１９０３がＯＫ）、フローはＳ１９０４に進む。
【００９２】
Ｓ１９０４において通話切替制御部２１１は、メッセージの送信元がどこかを判定する。例えば、メッセージの送信元が、セッション制御部２１２であれば、フローはＳ１９０５に進む。Ｓ１９０５において通話切替制御部２１１は、メッセージの種別を確認する。例えば、メッセージが、セッション解放通知であれば、フローはＳ１９０６に進み、簡易通話切替終了メッセージを作成して、Ｓ１９０７で電話アプリケーション部２２２に送信する。
【００９３】
また、Ｓ１９０５においてメッセージが、セッション確立応答であれば、フローはＳ１９０８に進み、簡易通話切替応答を作成して、Ｓ１９０７で電話アプリケーション部２２２に送信する。
【００９４】
Ｓ１９０５においてメッセージが、セッション確立通知であれば、フローはＳ１９０９に進み、簡易通話切替通知メッセージを作成して、Ｓ１９０７で電話アプリケーション部２２２に送信する。
【００９５】
また、Ｓ１９０４でメッセージの送信元が電話アプリケーション部２２２である場合には、フローはＳ１９１０に進む。この場合、通話切替制御部２１１は、メッセージに電話番号が含まれているかを判定し、含まれていない場合（Ｓ１９１０が無し）、フローはＳ１９０６に進む。即ち、例えば、相手の端末１０３の電話番号が分からない場合には、簡易通話を終了してよい。一方、メッセージが電話番号を含む場合には（Ｓ１９１０が有り）、フローはＳ１９１１に進む。Ｓ１９１１において通話切替制御部２１１は、セッション確立要求メッセージを作成して、セッション制御部２１２に送信する。
【００９６】
Ｓ１９０４において送信元が、電話アプリケーション部２２２でもセッション制御部２１２でもない場合には（Ｓ１９０４がその他）、フローはＳ１９０１に戻る。
【００９７】
以上で述べた様に、通話切替制御部２１１は、受信したメッセージに応じて、メッセージを生成し、電話アプリケーション部２２２又はセッション制御部２１２にメッセージを送信する。
【００９８】
図２０は、セッション制御部２１２が実行するセッション制御処理の動作フローを例示する図である。セッション制御部２１２は、例えば、車載機１０１が起動すると、図２０の動作フローを開始してよい。
【００９９】
Ｓ２００１においてセッション制御部２１２は、イベントが検出されるのを待機する。例えば、キー操作や、メッセージの受信などのイベントが検出された場合、フローはＳ２００２に進む。Ｓ２００２において、セッション制御部２１２は、検出したイベントの種類を判別する。例えば、検出したイベントがキー操作であれば、フローはＳ２００３に進み、セッション制御部２１２は、処理１を実行し、処理はＳ２００１に戻る。処理１の詳細については、図２１を参照して述べる。
【０１００】
図２１は、処理１の詳細を示すフローである。Ｓ２１０１においてセッション制御部２１２は、入力されたキー操作により処理を分岐する。例えば、入力されたキー操作が、ＰＴＴキーの長押しであった場合、フローは、Ｓ２１０２に進む。Ｓ２１０２においてセッション制御部２１２は、音声の録音開始を指示する音声録音開始メッセージを作成する。Ｓ２１０３においてセッション制御部２１２は、生成した音声録音開始メッセージを録音制御部２１３に送信する。なお、通知を受けた録音制御部２１３は、録音を開始する。Ｓ２１０４においてセッション制御部２１２は、マイク制御部２２６を介してマイク２７０をＯＮにし、処理１の動作フローを終了する。なお、処理１動作フローが終了すると、フローはＳ２００１に戻る。
【０１０１】
また、Ｓ２１０１において入力されたキー操作が、例えば、ＰＴＴキーの押下解除であった場合、フローは、Ｓ２１０５に進む。Ｓ２１０５においてセッション制御部２１２は、マイク制御部２２６を介してマイク２７０をＯＦＦにする。また、Ｓ２１０６においてセッション制御部２１２は、音声録音の停止を指示する音声録音停止メッセージを作成する。そして、Ｓ２１１１に進み、セッション制御部２１２は、生成した音声録音停止メッセージを録音制御部２１３に送信する。なお、通知を受けた録音制御部２１３は、録音を停止する。
【０１０２】
Ｓ２１０１において入力されたキー操作が、例えば、ＰＴＴキーの短押しであった場合、フローは、Ｓ２１０７に進む。Ｓ２１０７においてセッション制御部２１２は、伝言の再生開始を指示する伝言再生開始メッセージを作成する。そして、Ｓ２１１１に進み、セッション制御部２１２は、生成した伝言再生開始メッセージを再生制御部２１４に送信する。なお、通知を受けた再生制御部２１４は、伝言の再生を開始する。
【０１０３】
また、Ｓ２１０１において入力されたキー操作が、例えば、ＥＮＤキーの長押しであった場合、フローは、Ｓ２１０８に進む。Ｓ２１０８においてセッション制御部２１２は、ＩＤ１０で識別される固定メッセージの再生を指示する再生開始メッセージを作成する。そしてＳ２１０９においてセッション制御部２１２は、再生開始メッセージを再生制御部２１４に送信する。
【０１０４】
また、Ｓ２１１０においてセッション制御部２１２は、Voice mail session releaseメッセージを作成する。そして、Ｓ２１１１においてセッション制御部２１２は、生成したメッセージをＳＰＰ制御部２２５に通知して、携帯端末１０２との間のセッションの切断を指示する。
【０１０５】
以上の図２１の処理で述べた処理により、ユーザは、キー操作を入力することで、車載機１０１にキー操作に応じた処理を実行させることができる。
【０１０６】
また、図２０のＳ２００２において、イベントが、メッセージ通知である場合（Ｓ２００２がメッセージ通知）、フローはＳ２００４に進む。Ｓ２００４においてセッション制御部２１２は、通知されたメッセージを読み込み、Ｓ２００５にてメッセージをチェックする。例えば、メッセージが所定の情報を含んでいないなどしてメッセージに不備がある場合には（Ｓ２００５がＮＧ）、フローはＳ２００１に戻り、セッション制御部２１２は、次のイベント検出を待機する。一方、例えば、メッセージが所定の情報を含む場合には（Ｓ２００５がＯＫ）、フローはＳ２００６に進む。
【０１０７】
Ｓ２００６においてセッション制御部２１２は、メッセージの送信元を確認する。例えば、メッセージの送信元が再生制御部２１４である場合（Ｓ２００６が再生制御）、フローはＳ２００７に進み、後述する処理２の処理を実行し、処理はＳ２００１に戻る。なお、処理２の詳細については、図２２を参照して述べる。
【０１０８】
図２２は、処理２に詳細を示すフローである。Ｓ２２０１においてセッション制御部２１２は、入力されたメッセージに応じて処理を分岐する。例えば、入力されたメッセージが音声再生終了メッセージである場合、フローはＳ２２０２に進む。Ｓ２２０２においてセッション制御部２１２は、Voice mail send end メッセージを作成する。Ｓ２２０３においてセッション制御部２１２は、作成したVoice mail send end メッセージを、ＳＰＰ制御部２２５に送信し、本動作フローは終了して、フローはＳ２００１に戻る。
【０１０９】
また、Ｓ２２０１において入力されたメッセージが伝言再生終了メッセージである場合、フローはＳ２２０４に進む。Ｓ２２０４においてセッション制御部２１２は、ＩＤ９で識別される固定メッセージの再生開始を指示する再生開始メッセージを作成する。Ｓ２２０５においてセッション制御部２１２は、ＩＤ９で識別される固定メッセージの再生開始指示を再生制御部２１４に送信する。Ｓ２２０６においてセッション制御部２１２は、ＩＤ９で識別される固定メッセージの再生が完了したことが再生制御部２１４から通知されるのを待ち、通知を受けるとし、本動作フローは終了して、フローはＳ２００１に戻る。
【０１１０】
また、Ｓ２２０１において入力されたメッセージが固定メッセージ１０再生終了である場合、フローはＳ２２０７に進む。Ｓ２２０７においてセッション制御部２１２は、セッション解放通知を作成する。Ｓ２２０８においてセッション制御部２１２は、セッション解放通知を通話切替制御部２１１に送信し、本動作フローは終了して、フローは図２０のＳ２００１に戻る。
【０１１１】
また、図２０のＳ２００６において、メッセージの送信元が録音制御部２１３である場合（Ｓ２００６が録音制御）、フローはＳ２００８に進み、後述する処理３の処理を実行し、フローはＳ２００１に戻る。なお、処理３の詳細については、図２３を参照して述べる。
【０１１２】
図２３は、処理３の詳細を例示する図である。Ｓ２３０１においてセッション制御部２１２は、メッセージの種別を確認する。例えば、メッセージが、音声蓄積通知であれば、フローはＳ２３０２に進み、セッション制御部２１２は、Voice mail send startメッセージを作成して、Ｓ２３０３でＳＰＰ制御部２２５に送信する。
【０１１３】
Ｓ２３０４においてセッション制御部２１２は、音声の再生開始指示を作成し、Ｓ２３０５で作成した音声再生開始指示を再生制御部２１４に通知して、音声メッセージを再生させて、本動作フローは終了し、フローはＳ２００１に戻る。
【０１１４】
一方、Ｓ２３０１においてメッセージが、伝言蓄積通知であれば、フローはＳ２３０６に進み、セッション制御部２１２は、伝言蓄積通知を作成する。そして、Ｓ２３０５でセッション制御部２１２は、電話アプリケーション部２２２に伝言蓄積通知を送信し、伝言メッセージを預かったことを電話アプリケーション部２２２に通知して、本動作フローは終了し、フローはＳ２００１に戻る。
【０１１５】
また、図２０のＳ２００６において、メッセージの送信元が通話切替制御部２１１である場合（Ｓ２００６が通話切替制御）、フローはＳ２００９に進み、セッション制御部２１２は、Voice mail session requestメッセージを作成する。続いて、Ｓ２０１０においてセッション制御部２１２は、Voice mail session requestメッセージを、ＳＰＰ制御部２２５に送信し、フローはＳ２００１に戻る。
【０１１６】
また、Ｓ２００６において、メッセージの送信元がＳＰＰ制御部２２５である場合（Ｓ２００６がＳＰＰ制御）、フローはＳ２０１１に進み、セッション制御部２１２は、処理４の処理を実行し、フローはＳ２００１に戻る。なお、処理４の詳細については、図２４を参照して述べる。
【０１１７】
図２４は、処理４の詳細を例示する図である。Ｓ２４０１においてセッション制御部２１２は、メッセージの種別を確認する。例えば、メッセージが、Voice Mail session responseメッセージであれば、フローはＳ２４０２に進む。Ｓ２４０２においてセッション制御部２１２は、セッション確立応答メッセージを作成する。そして、Ｓ２４０３においてセッション制御部２１２は、作成したセッション確立応答メッセージを、通話切替制御部２１１に送信する。
【０１１８】
また、Ｓ２４０１においてメッセージが、Voice Mail session notificationメッセージであれば、フローはＳ２４０４に進む。Ｓ２４０４においてセッション制御部２１２は、セッション確立通知メッセージを作成する。そして、Ｓ２４０３においてセッション制御部２１２は、作成したセッション確立通知メッセージを、通話切替制御部２１１に送信する。
【０１１９】
Ｓ２４０１においてメッセージが、Voice Mail session releaseメッセージであれば、フローはＳ２４０５に進む。Ｓ２４０５においてセッション制御部２１２は、セッション解放通知メッセージを作成する。そして、Ｓ２４０５においてセッション制御部２１２は、作成したセッション解放通知メッセージを、通話切替制御部２１１に送信する。
【０１２０】
Ｓ２４０１においてメッセージが、Voice Mail receive startメッセージであれば、フローはＳ２４０６に進む。Ｓ２４０６においてセッション制御部２１２は、伝言録音開始メッセージを作成する。そして、Ｓ２４０３においてセッション制御部２１２は、作成した伝言録音開始メッセージを、録音制御部２１３に送信し、録音の開始を指示する。
【０１２１】
Ｓ２４０１においてメッセージが、Voice Mail receive endメッセージであれば、フローはＳ２４０７に進む。Ｓ２４０７においてセッション制御部２１２は、伝言録音停止メッセージを作成する。そして、Ｓ２４０３においてセッション制御部２１２は、作成した伝言録音停止メッセージを、録音制御部２１３に送信し、録音の停止を指示する。
【０１２２】
なお、Ｓ２４０３でメッセージの送信を完了すると、本動作フローは終了し、フローはＳ２００１に戻る。
【０１２３】
また、図２５は、実施形態に係る電話アプリケーション部２２２が実行する簡易通話制御処理の動作フローを例示する図である。電話アプリケーション部２２２は、例えば、車載機１０１が起動すると、図２５の動作フローを開始してよい。
【０１２４】
Ｓ２５０１において電話アプリケーション部２２２は、イベントが検出されるのを待機する。例えば、メッセージの受信などのイベントを検出した場合、フローはＳ２５０２に進む。Ｓ２５０２において電話アプリケーション部２２２は、通知されたメッセージを読み込み、Ｓ２５０３において読み込んだメッセージの種別を判定する。例えば、メッセージの種別が、発信通知であれば、フローはＳ２５０４に進む。Ｓ２５０４において電話アプリケーション部２２２は処理５の処理を実行する。なお、処理５の詳細については、図２６を参照して述べる。
【０１２５】
図２６は、処理５の詳細を例示する図である。Ｓ２６０１において電話アプリケーション部２２２は、簡易通話切替要求を作成する。Ｓ２６０２において電話アプリケーション部２２２は、簡易通話切替要求を通話切替制御部２１１に送信する。Ｓ２６０３において電話アプリケーション部２２２は、切断メッセージを作成する。Ｓ２６０４で電話アプリケーション部２２２は、ＨＦＰ／ＳＣＯ制御部２２３に切断メッセージを送信し、本動作フローは終了し、フローはＳ２５０１に戻る。
【０１２６】
また、Ｓ２５０３において読み込んだメッセージの種別が、着信通知であれば、フローはＳ２５０５に進む。Ｓ２５０５において電話アプリケーション部２２２は処理６の処理を実行する。なお、処理６の詳細については、図２７を参照して述べる。
【０１２７】
図２７は、処理６の詳細を例示する図である。Ｓ２７０１において電話アプリケーション部２２２は、ＩＤ１で識別される固定メッセージの再生を指示する再生開始メッセージを作成する。Ｓ２７０２において電話アプリケーション部２２２は、作成した再生開始メッセージを再生制御部２１４に送信する。
【０１２８】
Ｓ２７０３において電話アプリケーション部２２２は、応答メッセージを作成する。Ｓ２７０４において電話アプリケーション部２２２は、作成した応答メッセージをＨＦＰ／ＳＣＯ制御部２２３に送信し、本動作フローは終了し、フローはＳ２５０１に戻る。
【０１２９】
また、Ｓ２５０３において読み込んだメッセージの種別が、簡易通話切替応答であれば、フローはＳ２５０６に進む。Ｓ２５０６において電話アプリケーション部２２２は、処理７の処理を実行する。なお、処理７の詳細については、図２８を参照して述べる。
【０１３０】
図２８は、処理７の詳細を例示する図である。Ｓ２８０１において電話アプリケーション部２２２は、伝言録音停止メッセージを作成する。Ｓ２８０２において電話アプリケーション部２２２は、作成した伝言録音停止メッセージを録音制御部２１３に送信する。
【０１３１】
Ｓ２８０３において電話アプリケーション部２２２は、相手の端末１０３との間でボイスメールを利用可能なアプリケーションがあるか否かを判定する。ボイスメールが可能なアプリケーションが有る場合（Ｓ２８０３が有り）、フローはＳ２８０４に進む。Ｓ２８０４において電話アプリケーション部２２２は、ＩＤ２で識別される固定メッセージの再生を指示する再生開始メッセージを作成し、Ｓ２８０５で再生制御部２１４に送信する。Ｓ２８０６で電話アプリケーション部２２２は、再生終了メッセージの受信を待ち、受信すると本動作フローは終了し、フローはＳ２５０１に戻る。
【０１３２】
また、Ｓ２８０３においてボイスメールが可能なアプリケーションが無い場合（Ｓ２８０５が無し）、フローはＳ２８０７に進む。Ｓ２８０７において電話アプリケーション部２２２は、ＩＤ３で識別される固定メッセージの再生を指示する再生開始メッセージを作成し、Ｓ２８０８で再生制御部２１４に送信する。Ｓ２８０９で電話アプリケーション部２２２は、再生終了メッセージの受信を待ち、受信すると本動作フローは終了し、フローはＳ２５０１に戻る。
【０１３３】
また、Ｓ２５０３において読み込んだメッセージの種別が、簡易通話切替通知であれば、フローはＳ２５０７に進む。Ｓ２５０７において電話アプリケーション部２２２は、処理８の処理を実行する。なお、処理８の詳細については、図２９を参照して述べる。
【０１３４】
図２９は、処理８の詳細を例示する図である。Ｓ２９０１において電話アプリケーション部２２２は、着信中か否かを判定する。着信中である場合（Ｓ２９０１がＹｅｓ）、Ｓ２９０２において電話アプリケーション部２２２は、ＩＤ４で識別される固定メッセージの再生開始を指示する再生開始メッセージを作成し、Ｓ２９０３で再生制御部２１４に送信する。Ｓ２９０４で、電話アプリケーション部２２２は、再生終了メッセージの受信を待ち、受信するとＳ２９０５で切断メッセージを作成する。Ｓ２９０６で電話アプリケーション部２２２は、作成した切断メッセージをＨＦＰ／ＳＣＯ制御部２２３に送信し、電話回線による通話を終了して本動作フローは終了し、フローはＳ２５０１に戻る。
【０１３５】
一方、Ｓ２９０１において着信中でない場合（Ｓ２９０１がＮｏ）、Ｓ２９０７において電話アプリケーション部２２２は、相手の端末１０３との間でボイスメールを利用可能なアプリケーションがあるか否かを判定する。ボイスメールが利用可能なアプリケーションがある場合（Ｓ２９０７が有り）、フローはＳ２９０８に進む。Ｓ２９０８で電話アプリケーション部２２２は、ＩＤ６で識別される固定メッセージの再生を指示する再生開始メッセージを作成し、Ｓ２９０９で再生制御部２１４に送信する。Ｓ２９１０で電話アプリケーション部２２２は、再生終了メッセージの受信を待ち、受信すると本動作フローは終了し、フローはＳ２５０１に戻る。
【０１３６】
また、Ｓ２９０７でボイスメールに利用可能なアプリケーションが無い場合（Ｓ２９０７が無し）、フローはＳ２９１１に進む。Ｓ２９１１において電話アプリケーション部２２２は、ＩＤ７で識別される固定メッセージの再生を指示する再生開始メッセージを作成し、Ｓ２９１２で再生制御部２１４に送信する。Ｓ２９１３で電話アプリケーション部２２２は、再生終了メッセージの受信を待ち、受信すると本動作フローは終了し、フローはＳ２５０１に戻る。
【０１３７】
また、Ｓ２５０３において読み込んだメッセージの種別が、簡易通話切替終了メッセージであれば、フローはＳ２５０８に進む。Ｓ２５０８において電話アプリケーション部２２２は、処理９の処理を実行する。なお、処理９の詳細については、図３０を参照して述べる。
【０１３８】
図３０は、処理９の詳細を示す図である。Ｓ３００１において電話アプリケーション部２２２は、セッションを切断するための切断メッセージを作成する。Ｓ３００２で電話アプリケーション部２２２は、切断メッセージをＨＦＰ／ＳＣＯ制御部２２３に送信し、本動作フローは終了し、フローはＳ２５０１に戻る。
【０１３９】
また、Ｓ２５０３において読み込んだメッセージの種別が、伝言蓄積通知であれば、フローはＳ２５０９に進む。Ｓ２５０９において電話アプリケーション部２２２は、処理１０の処理を実行する。なお、処理１０の詳細については、図３１を参照して述べる。
【０１４０】
図３１は、処理１０の詳細を示す図である。Ｓ３１０１において電話アプリケーション部２２２は、方向指示器がＯＮかＯＦＦ化を判定する。方向指示器がＯＮである場合（Ｓ３１０１がＯＮ）、フローはＳ３１０２に進み、方向指示器の状態がＯＦＦに変化するのを待機し、方向指示器がＯＦＦになると、フローはＳ３１０１に戻る。また、Ｓ３１０１において方向指示器がＯＦＦである場合（Ｓ３１０１がＯＦＦ）、フローはＳ３１０３に進む。
【０１４１】
Ｓ３１０３において電話アプリケーション部２２２は、入力された伝言の種類を判別する。例えば、伝言が電話回線で入力された電話での伝言である場合（Ｓ３１０３が電話）、フローはＳ３１０４に進む。Ｓ３１０４において電話アプリケーション部２２２は、ＩＤ５で識別される固定メッセージの再生を指示する再生開始メッセージを作成し、Ｓ３１０５で再生制御部２１４に送信する。Ｓ３１０６で電話アプリケーション部２２２は、再生終了メッセージの受信を待ち、受信すると本動作フローは終了し、フローはＳ２５０１に戻る。
【０１４２】
一方、Ｓ３１０３において入力された伝言の種類が、データ回線から入力された簡易通話（例えば、ボイスメール）での伝言である場合（Ｓ３１０３が簡易通話）、フローはＳ３１０７に進む。Ｓ３１０７において電話アプリケーション部２２２は、ＩＤ８で識別される固定メッセージの再生を指示する再生開始メッセージを作成し、Ｓ３１０８で再生制御部２１４に送信する。Ｓ３１０９で電話アプリケーション部２２２は、再生終了メッセージの受信を待ち、受信すると本動作フローは終了し、フローはＳ２５０１に戻る。
【０１４３】
また、Ｓ２５０３において読み込んだメッセージの種別が、ＩＤ１で識別される固定メッセージの再生終了メッセージである場合には、フローはＳ２５１０に進む。Ｓ２５１０において電話アプリケーション部２２２は、処理１１の処理を実行する。なお、処理１１の詳細については、図３２を参照して述べる。
【０１４４】
図３２は、処理１１の詳細を例示する図である。Ｓ３２０１において電話アプリケーション部２２２は、伝言録音開始メッセージを作成し、Ｓ３２０２で録音制御部２１３に送信して、録音制御部２１３に伝言の録音を指示する。また、Ｓ３２０３において電話アプリケーション部２２２は、簡易通話切替要求メッセージを作成する。Ｓ３２０４において電話アプリケーション部２２２は、作成した簡易通話切替要求メッセージを、通話切替制御部２１１に送信し、本動作フローは終了し、フローはＳ２５０１に戻る。
【０１４５】
＜実施例＞
以上で述べた実施形態に関する実施例を以下で例示する。
【０１４６】
［電話着信時］
図３３は、電話の着信時の実施例を説明する図である。なお、ユーザが乗車している車両の車載機１０１と、ユーザの携帯端末１０２とは、BluetoothのＨＦＰ／ＳＰＰ接続で接続されているものとする。また、車両１００は走行しており、走行モードにあるものとする。
【０１４７】
まず、通話相手が端末１０３を用いて、ユーザの携帯端末１０２に対して電話発信を行ったとする。なお、この時、通話相手は、ユーザが運転中であることは認識していない。
【０１４８】
すると、電話回線網から呼接続要求（ＳＥＴＵＰ）がユーザの携帯端末１０２で受信される（Ｓ３３０１）。呼接続要求（ＳＥＴＵＰ）を受信したユーザの携帯端末１０２は、BluetoothのＨＦＰ経由で車載機１０１に対して着信通知（＋ＣＩＥＶ）を行う（Ｓ３３０２）。
【０１４９】
着信通知を受信した車載機１０１は、走行モード中である場合、BluetoothのＨＦＰ経由で着信に対して自動で応答（ＡＴＡ）し（Ｓ３３０３）、相手の端末１０３と接続（ＣＯＮＮＥＣＴ）して通話状態に遷移する（Ｓ３３０４）。その後、車載機１０１は、ユーザは運転中のため応答できない旨を音声メッセージで相手の端末１０３に通知し（Ｓ３３０５）、伝言メッセージの録音を開始する（Ｓ３３０６）。
【０１５０】
車載機１０１は、伝言メッセージの録音と同時に、携帯端末１０２に対して、BluetoothのＳＰＰ経由で簡易通話用のセッション確立要求（Voice mail session request）を行う（Ｓ３３０７）。携帯端末１０２は、簡易通話を利用可能なアプリケーションのうちから、通話相手の電話番号を用いて、相手の端末１０３との間で簡易通話に用いることが可能なアプリケーションを特定する（Ｓ３３０８）。そして、セッション確立応答（Voice mail session response）にて、相手の端末１０３との間で簡易通話可能なアプリケーションをBluetoothのＳＰＰ経由で車載機１０１に通知する（Ｓ３３０９）。
【０１５１】
車載機１０１は、伝言メッセージの録音を終えると、簡易通話可能なアプリケーションが決定できている場合、伝言メッセージを預かったことを知らせるとともに、簡易通話での伝言のやり取りができることも合わせて音声で知らせる（Ｓ３３１０）。
【０１５２】
通話相手が、簡易通話を使用することを承諾した場合、該当するダイヤルキーを押下する。押下されたダイヤルキーは、ＤＴＭＦとして電話回線網から携帯端末１０２に通知される（Ｓ３３１１）。そして、携帯端末１０２は、例えば、通話相手が簡易通話を承諾した場合、車載機１０１に対してセッション確立通知（Voice mail session complete）を通知する（Ｓ３３１２）。一方、通話相手が簡易通話を承諾していない（Ｓ３３１４）場合は、携帯端末１０２は、セッション解放通知（Voice mail session release）を車載機１０１に通知する（Ｓ３３１５）。
【０１５３】
また、車載機１０１と携帯端末１０２との間で簡易通話のセッションを確立完了以降は、車載機１０１は、利用する簡易通話のアプリケーションを音声で相手の端末１０３に通知する（Ｓ３３１３）。続いて、車載機１０１は、携帯端末１０２にＡＴＨを出力して（Ｓ３３１６）、通話を切断する（Ｓ３３１７）。車載機１０１は、伝言メッセージを通話相手の端末１０３から預かった場合には、伝言メッセージを預かっていることをユーザに通知する（Ｓ３３１８）。なお、伝言メッセージを預かっていることの通知は、例えば、方向指示器がＯＦＦの時など、ユーザの運転負荷に応じて適切なタイミングで実行されてよい。
【０１５４】
［電話発信時］
続いて、電話の発信時の実施例を説明する。図３４は、電話の発信時の実施例を説明する図である。なお、ユーザが乗車している車両の車載機１０１と、ユーザの携帯端末１０２とは、BluetoothのＨＦＰ／ＳＰＰ接続で接続されているものとする。また、車両１００は走行しており、走行モードにあるものとする。
【０１５５】
例えば、ユーザが携帯端末１０２から通話相手の端末１０３に対して電話発信を行ったとする（Ｓ３４０１）。この場合、携帯端末１０２は、電話回線網から呼接続要求（ＳＥＴＵＰ）を相手の端末１０３に対して送信する（Ｓ３４０２）。また、携帯端末１０２は、BluetoothのＨＦＰ経由で車載機１０１に対して発信通知（+ＣＩＥＶ）を行う（Ｓ３４０３）。
【０１５６】
発信通知を受信した車載機１０１は、走行モード中である場合、BluetoothのＨＦＰ経由で発信通知に対してＡＴＨを出力して（Ｓ３４０４）、電話を自動で切断し（Ｓ３４０５）、携帯電話を待受状態に戻す。なお、別な例として、走行モード中に車載機１０１に発信操作を入力した場合は、車載機１０１が発信を抑止してよい（Ｓ３４０６）。
【０１５７】
続いて、車載機１０１は、携帯端末１０２に対して、BluetoothのＳＰＰ経由で簡易通話用のセッション確立要求（Voice mail session request）を行う（Ｓ３４０７）。携帯端末１０２は、発信先の電話番号を基に、ボイスメールに用いるアプリケーションを決定する（Ｓ３４０８）。車載機１０１は、携帯端末１０２からセッション確立応答（Voice mail session response）の受信する（Ｓ３４０９）。続いて、車載機１０１は、セッション確立通知（Voice mail session notification）の受信（Ｓ３４１０）でセッションの確立が通知されたことを契機に、運転中のため電話できないことと、代替手段として利用可能なアプリケーションがあることを音声でユーザに通知する（Ｓ３４１１）。
【０１５８】
ユーザがＰＴＴ押下しながら発話すると（Ｓ３４１２）、車載機１０１は、その発話内容を携帯端末１０２を介して簡易通話で相手の端末１０３に送信する（Ｓ３４１３）。また、セッション確立中に、携帯端末１０２を介して簡易通話を受信した場合（Ｓ３４１４）、車載機１０１は、簡易通話を預かっていることを音声案内でユーザに通知する（Ｓ３４１５）。
【０１５９】
［簡易通話でのメッセージの受信時］
続いて、簡易通話でのメッセージの受信時の実施例を説明する。図３５は、簡易通話でのメッセージの受信時の実施例を説明する図である。なお、ユーザが乗車している車両の車載機１０１と、ユーザの携帯端末１０２とは、BluetoothのＨＦＰ／ＳＰＰ接続で接続されているものとする。また、車両１００は走行しており、走行モードにあるものとする。
【０１６０】
そして、例えば、携帯端末１０２が通話相手の端末１０３から簡易通話を利用可能なアプリケーションを用いてボイスメールを受信したとする（Ｓ３５０１）。この場合に、例えば、携帯端末１０２と車載機１０１との間で、別の通話相手とのセッションが確立中であれば、セッションが空くのを待機する（Ｓ３５０２）。そして、例えば、ユーザがＥＮＤキーを押下するなどして、セッションの切断指示を入力すると（Ｓ３５０３）、車載機１０１は、携帯端末１０２にVoice mail session release メッセージを出力し、セッションを切断する（Ｓ３５０４）。
【０１６１】
続いて、携帯端末１０２は、受信したメッセージと対応するアプリケーションをボイスメールで使用するアプリケーションとして決定する（Ｓ３５０５）。そして、携帯端末１０２は、車載機１０１との間で新たにセッションを確立し、Voicemail session notificationを車載機１０１に通知することで、セッションの確立を通知する（Ｓ３５０６）。続いて、Voice mail receive startメッセージ及びVoice mail receive endメッセージを用いて、携帯端末１０２は、受信したメッセージを車載機１０１に通知する（Ｓ３５０７）。メッセージを預かった車載機１０１は、メッセージを預かったことをユーザに音声案内で通知する（Ｓ３５０８）。なお、Ｓ３５０１で相手の端末１０３からメッセージを受信した際に、携帯端末１０２と車載機１０１が、既に別の端末１０３との簡易通話のためにセッションを確立中では無い場合、フローはＳ３５０５に進んでよい。
【０１６２】
［簡易通話でのメッセージの確認時］
図３６は、伝言メッセージの確認時処理を例示する図である。図３６の伝言メッセージの確認時の処理は、例えば、図３５の簡易通話でのメッセージの受信時の処理の後に行われてよい。
【０１６３】
ユーザは、例えば、再生操作を車載機１０１に入力することで、蓄積された伝言メッセージを再生する（Ｓ３６０１）。伝言メッセージを再生した後、伝言メッセージの相手の端末１０３と簡易通話が可能な場合は、相手の端末１０３との簡易通話が可能な旨をユーザに音声で通知する（Ｓ３６０２）。ユーザは、伝言メッセージの相手に簡易通話を送信する場合、ＰＴＴキーを押下中に発話する（Ｓ３６０３）。発話した音声は、車載機１０１で一旦蓄積し、BluetoothのＳＰＰ経由で、簡易通話に利用するアプリケーションに通知される（Ｓ３６０４）。携帯端末１０２の簡易通話に利用するアプリケーションは、車載機１０１からの音声をアプリケーションを介して相手に送信する（Ｓ３６０５）。
【０１６４】
また、携帯端末１０２が簡易通話を受信した場合（Ｓ３６０６）、簡易通話のアプリケーションは、BluetoothのＳＰＰ経由で車載機１０１に受信した音声を通知する（Ｓ３６０７）。車載機１０１は、簡易通話のアプリケーションからの音声を伝言メッセージとして蓄積し、ユーザに伝言メッセージがあることを伝える（Ｓ３６０８）。以降、Ｓ３６０９、及びＳ３６１０の処理は、例えば、Ｓ３６０１、及びＳ３６０２と同様の処理を実行してよい。
【０１６５】
また、簡易通話による会話を終了したい場合、ユーザはＥＮＤキーを押下する（Ｓ３６１１）。すると、車載機１０１は、簡易通話を終了する音声メッセージを流したあと（Ｓ３６１２）、Voicemail session releaseメッセージを携帯端末１０２に送信し、セッションを終了する（Ｓ３６１３）。
【０１６６】
また、図３７は、別の実施形態に係る車載機１０１のブロック構成を例示する図である。車載機１０１は、例えば、制御部２０１、記憶部２３０、及び通信部２４０を含んでいる。制御部２０１は、例えば出力部３７０１、通信制御部３７０２、保存部３７０３、及び再生部３７０４などを含んでいる。例えば、制御部２０１は、上述のＳ１２０６において出力部３７０１として動作する。また、制御部２０１は、例えば、上述のＳ１５０９及びＳ１６０６において通信制御部３７０２として動作する。制御部２０１は、例えば、上述のＳ１６０８において保存部３７０３として動作する。制御部２０１は、例えば、上述のＳ１８０３において再生部３７０４として動作する。
【０１６７】
以上において、いくつかの実施形態が例示される。上述のように、実施形態によれば、運転中に着信があった場合に、通話をボイスメールでのやり取りに切り替えることで、ユーザは都合のよいタイミングで音声メッセージを聞いたり、音声メッセージを送ったりすることができる。そのため、運転中の通話に伴う事故などの危険性を抑制しつつ、相手との会話を維持することができる。
【０１６８】
また、例えば、運転中のハンズフリーでの通話に起因する事故などの危険性を低減するために、運転中に電話の着信があった場合、車載機が伝言メッセージを一時的に預かり、ハンズフリー機能を抑止することが考えられる。そして、運転手が、伝言メッセージに応答したい場合、車載機で運転手の音声を録音し、車載機から折り返し発信し、相手が通話をとったら録音した音声を再生することで相手に伝えることが考えられる。しかしながら、このような手法では、例えば、折り返し発信が通話状態にならないと、録音した音声を伝えられないことがある。そのため、相手が電話を取らなかったり、或いは圏外にいたりする状況では、メッセージを伝えられず、リトライ等の作業が生じる。また更に、折り返しの伝言を受けた相手が、更に話を続けたい場合にも、再度電話をすることになり、伝言のやり取りに手間が生じる。
【０１６９】
また一方で、車載機から折り返し発信し、相手が通話をとったら録音した音声を再生することで相手にメッセージを伝える場合、相手の電話で留守電機能が動作すると、ドライバの音声メッセージが正確に蓄積されない恐れがある。例えば、伝言メッセージを預かるセンタや、携帯電話の留守電機能では、所定のメッセージの再生後に伝言メッセージを受ける場合などがあり、伝言が受け付けられるタイミングが一定でないことがある。或いは、伝言の受け付けの際にダイヤル操作が求められることもある。この場合、相手が通話をとったら録音した音声を再生する手法では、伝言メッセージが正確に蓄積されない恐れがある。すなわち、電話回線で音声メッセージを伝送する方法では、メッセージの伝送の確実性に課題がある。
【０１７０】
しかしながら、上述の実施形態によれば、電話回線ではなく、パケット交換方式のデータ回線でメッセージを伝送するため、相手が通話を取らなくても、メッセージを確実に通知することができる。
【０１７１】
また、同様に、運転中に発信する場合にも、通話をボイスメールでのやり取りに切り替えることで、ユーザは都合の良い音声メッセージを聞いたり、音声メッセージを送ったりすることができる。
【０１７２】
また、上述の実施形態では相手の端末１０３からメッセージを預かった場合に、車両１００の方向指示器が出ていないタイミングで、メッセージを預かったことをユーザに通知している。そのため、ユーザが、神経を使う右左折や車線変更などの状況で音声メッセージが通知されてしまうことを抑制でき、事故の危険性を低めることができる。
【０１７３】
従って、実施形態によれば、運転中の電話の発着信の際に相手との会話を効率的に維持することができる。
【０１７４】
なお、以上において、実施形態を例示したが、実施形態はこれに限定されるものではない。例えば、上述の動作フローは例示であり、実施形態はこれに限定されるものではない。可能な場合には、動作フローは、処理の順番を変更して実行されてもよく、別に更なる処理を含んでもよく、又は、一部の処理が省略されてもよい。
【０１７５】
図３８は、実施形態に係る車載機１０１を実現するためのコンピュータ３８００のハードウェア構成を例示する図である。図３８の車載機１０１を実現するためのハードウェア構成は、例えば、プロセッサ３８０１、メモリ３８０２、記憶装置３８０３、無線通信装置３８０４、サウンドボード３８０５、ＣＰＵ間通信機器３８０６、及びグラフィックボード３８０７を備える。なお、プロセッサ３８０１、メモリ３８０２、記憶装置３８０３、無線通信装置３８０４、サウンドボード３８０５、ＣＰＵ間通信機器３８０６、及びグラフィックボード３８０７は、例えば、バス３８５０を介して互いに接続されている。
【０１７６】
プロセッサ３８０１は、例えば、シングルプロセッサであっても、マルチプロセッサやマルチコアを備えるプロセッサであってもよい。プロセッサ３８０１は、メモリ３８０２を利用して例えば上述の車載機１０１が実行する動作フローの手順を記述したプログラムを実行することにより、上述した制御部２０１の各部の一部または全部の機能を提供する。また、記憶部２３０は、例えばメモリ３８０２、記憶装置３８０３を含む。記憶装置３８０３には、例えば、メッセージ情報３００、処理ブロック間制御メッセージ情報４００、及び携帯端末間制御メッセージ情報５００が格納されている。
【０１７７】
メモリ３８０２は、例えば半導体メモリであり、ＲＡＭ領域及びＲＯＭ領域を含んでいてよい。記憶装置３８０３は、例えばハードディスク、フラッシュメモリ等の半導体メモリ、又は外部記憶装置である。なお、ＲＡＭは、Random Access Memoryの略称である。また、ＲＯＭは、Read Only Memoryの略称である。
【０１７８】
無線通信装置３８０４は、プロセッサ３８０１の指示に従って携帯端末１０２に接続し、データを送受信する。例えば、無線通信装置３８０４は、Bluetoothなどの近距離無線通信を用いて携帯端末１０２と通信してよい。なお、上述の通信部２４０は、例えば、無線通信装置３８０４であってよい。サウンドボード３８０５は、例えば、スピーカ２６０及びマイク２７０と接続されていてよい。サウンドボード３８０５は、例えば、プロセッサ３８０１の指示に従って、マイク２７０から音の入力を受け付けたり、スピーカ２６０から音を出力させたりしてよい。ＣＰＵ間通信機器３８０６は、例えば、コントローラエリアネットワーク（ＣＡＮ）に接続されているステアリングスイッチ３８１１、及びＥＣＵ２８０と、プロセッサ３８０１との間の通信を仲介する機器であってよい。ステアリングスイッチ３８１１は、例えば、ステアリング２５０につけられた操作キーであってよく、上述のＰＴＴやＥＮＤキーを含んでよい。ＥＣＵ２８０は、例えば、エンジンの運転制御を電気的な補助装置を用いて行う際に、それらを総合的に制御するマイクロコントローラである。グラフィックボード３８０７は、例えば、ディスプレーなどの表示装置３８１２と接続されており、プロセッサ３８０１の指示に従って、表示装置３８１２を制御し、画像を出力させる。
【０１７９】
なお、上述のコンピュータ３８００のハードウェア構成は、図３８に示されるものに限定されず、適宜、追加、置換、削除等の変更が可能である。例えば、コンピュータ３８００は、図３８に示される構成に加えて、画像や映像を撮像するためのカメラなどの撮像装置を備えてもよい。
【０１８０】
また、図３９は、携帯端末１０２を実現するためのコンピュータ３９００のハードウェア構成の一例を示す図である。コンピュータ３９００は、例えば、携帯電話機、スマートフォン、タブレット端末などの通信装置であってよい。コンピュータ３９００は、プロセッサ３９０１、メモリ３９０２、通信機器３９０５、近距離無線通信機器３９０６、及び入出力インタフェース３９０７を含む。
【０１８１】
メモリ３９０２は、例えば半導体メモリであり、ＲＡＭ領域及びＲＯＭ領域を含んでいてよい。プロセッサ３９０１は、例えば、メモリ３９０２に記憶されているプログラムを読み出して実行することで、上述の携帯端末１０２が実行する処理の一部又は全部の機能を提供する。
【０１８２】
通信機器３９０５は、例えば、プロセッサ３９０１の指示に従って、セルラ通信網に接続するためのセルラ通信機器などのであってよい。近距離無線通信機器３９０６は、例えば、Bluetoothなどの近距離無線通信規格で通信する装置であってよい。近距離無線通信機器３９０６は、例えば、プロセッサ３９０１の指示に従って、車載機１０１と接続してよい。
【０１８３】
入出力インタフェース３９０７は、例えば、入力装置及び出力装置との間のインタフェースであってよい。入力装置は、例えばユーザからの指示を受け付けるタッチパネルなどのデバイスである。出力装置は、例えばディスプレーなどの表示装置、及びスピーカなどの音声装置である。
【０１８４】
なお、上述のコンピュータ３９００のハードウェア構成は、図３９に示されるものに限定されず、適宜、追加、置換、削除等の変更が可能である。例えば、コンピュータ３９００は、図３９に示される構成に加えて、可搬記録媒体を駆動する可搬記録媒体駆動装置を備えてもよい。可搬記録媒体は、例えば、ＳＤカード、ｍｉｃｒｏＳＤカード等であってよい。また、上述の相手の端末１０３も、コンピュータ３９００と同様の構成を備えていてもよい。
【０１８５】
実施形態に係る各プログラムは、例えば、下記の形態で車載機１０１、携帯端末１０２、及び相手の端末１０３に提供される。
（１）記憶装置３８０３やメモリ３９０２に予めインストールされている。
（２）プログラムサーバなどのサーバから提供される。 
【０１８６】
なお、図３８及び図３９を参照して述べたコンピュータ３８００，３９００のハードウェア構成は、例示であり、実施形態はこれに限定されるものではない。例えば、上述の機能部の一部または全部の機能がＦＰＧＡ及びＳｏＣなどによるハードウェアとして実装されてもよい。なお、ＦＰＧＡは、Field Programmable Gate Arrayの略称である。ＳｏＣは、System-on-a-chipの略称である。
【０１８７】
以上において、いくつかの実施形態が説明される。しかしながら、実施形態は上記の実施形態に限定されるものではなく、上述の実施形態の各種変形形態及び代替形態を包含するものとして理解されるべきである。例えば、各種実施形態は、その趣旨及び範囲を逸脱しない範囲で構成要素を変形して具体化できることが理解されよう。また、前述した実施形態に開示されている複数の構成要素を適宜組み合わせることにより、種々の実施形態が実施され得ることが理解されよう。更には、実施形態に示される全構成要素からいくつかの構成要素を削除して又は置換して、或いは実施形態に示される構成要素にいくつかの構成要素を追加して種々の実施形態が実施され得ることが当業者には理解されよう。
【符号の説明】
【０１８８】
１００      車両
１０１      車載機
１０２      携帯端末
１０３      端末
１０４      サーバ
１０５      ネットワーク
２０１      制御部
２０７      スピードメータ
２１１      通話切替制御部
２１２      セッション制御部
２１３      録音制御部
２１４      再生制御部
２２１      スピーカ制御部
２２２      電話アプリケーション部
２２３      ＳＣＯ制御部
２２４      無線制御部
２２５      ＳＰＰ制御部
２２６      マイク制御部
２３０      記憶部
２３１      走行モード管理部
２３２      車両情報収集部
２４０      通信部
２５０      ステアリング
２６０      スピーカ
２７０      マイク
２８０      エンジンコントロールユニット
２８１      スピードメータ
２８２      方向指示器
３７０１    出力部
３７０２    通信制御部
３７０３    保存部
３７０４    再生部
３８００    コンピュータ
３８０１    プロセッサ
３８０２    メモリ
３８０３    記憶装置
３８０４    無線通信装置
３８０５    サウンドボード
３８０６    ＣＰＵ間通信機器
３８０７    グラフィックボード
３８１１    ステアリングスイッチ
３８１２    表示装置
３８５０    バス
３９００    コンピュータ
３９０１    プロセッサ
３９０２    メモリ
３９０５    通信機器
３９０６    近距離無線通信機器
３９０７    入出力インタフェース
【図１】
2018056782.tif 000003
【図２】
2018056782.tif 000004
【図３】
2018056782.tif 000005
【図４】
2018056782.tif 000006
【図５】
2018056782.tif 000007
【図６】
2018056782.tif 000008
【図７】
2018056782.tif 000009
【図８】
2018056782.tif 000010
【図９】
2018056782.tif 000011
【図１０】
2018056782.tif 000012
【図１１】
2018056782.tif 000013
【図１２】
2018056782.tif 000014
【図１３】
2018056782.tif 000015
【図１４】
2018056782.tif 000016
【図１５】
2018056782.tif 000017
【図１６】
2018056782.tif 000018
【図１７】
2018056782.tif 000019
【図１８】
2018056782.tif 000020
【図１９】
2018056782.tif 000021
【図２０】
2018056782.tif 000022
【図２１】
2018056782.tif 000023
【図２２】
2018056782.tif 000024
【図２３】
2018056782.tif 000025
【図２４】
2018056782.tif 000026
【図２５】
2018056782.tif 000027
【図２６】
2018056782.tif 000028
【図２７】
2018056782.tif 000029
【図２８】
2018056782.tif 000030
【図２９】
2018056782.tif 000031
【図３０】
2018056782.tif 000032
【図３１】
2018056782.tif 000033
【図３２】
2018056782.tif 000034
【図３３】
2018056782.tif 000035
【図３４】
2018056782.tif 000036
【図３５】
2018056782.tif 000037
【図３６】
2018056782.tif 000038
【図３７】
2018056782.tif 000039
【図３８】
2018056782.tif 000040
【図３９】
2018056782.tif 000041